(57)【特許請求の範囲】
【請求項１】
物品を包装するための包装箱であって、
前記物品を収納するための箱本体と、
前記箱本体の天板部に設けられた手提げ取っ手と、を備え、
前記手提げ取っ手は、前記箱本体の前記天板部に取り付けられた一対の端部を含む取っ手本体を有し、
前記取っ手本体は、可撓性材料で形成された細長板状部材であって、前記天板部に装着された状態において、全体として上方に向けて凸状となるように湾曲している細長板状部材を有し、
前記細長板状部材は、その最頂部を挟んで両側に前記最頂部の近傍にて形成された一対の吊下げ用開口部を有し、前記一対の吊下げ用開口部のそれぞれの寸法は、その中に吊下げ用部材を挿入可能となるように設定されており、
前記一対の吊下げ用開口部は、それぞれ、前記取っ手本体の長手方向に沿って延在する長穴形状を有する、包装箱。
【請求項２】
前記一対の吊下げ用開口部は、前記細長板状部材の前記最頂部に関して対称に配置されている、請求項１記載の包装箱。
【請求項３】
前記一対の吊下げ用開口部のそれぞれの周縁部に、補強用の厚肉部が形成されている、請求項１または２に記載の包装箱。
【請求項４】
包装箱の箱本体の天板部に設けられる手提げ取っ手であって、
前記天板部に取り付けられる一対の端部を含む取っ手本体を有し、
前記取っ手本体は、可撓性材料で形成された細長板状部材であって、前記天板部に装着された状態において、全体として上方に向けて凸状となるように湾曲している細長板状部材を有し、
前記細長板状部材は、前記天板部に装着された状態における最頂部を挟んで両側に前記最頂部の近傍にて形成された一対の吊下げ用開口部を有し、前記一対の吊下げ用開口部のそれぞれの寸法は、その中に吊下げ用部材を挿入可能となるように設定されており、
前記一対の吊下げ用開口部は、それぞれ、前記取っ手本体の長手方向に沿って延在する長穴形状を有する、包装箱の手提げ取っ手。
【請求項５】
前記一対の吊下げ用開口部は、前記細長板状部材の前記最頂部に関して対称に配置されている、請求項４記載の包装箱の手提げ取っ手。
【請求項６】
前記一対の吊下げ用開口部のそれぞれの周縁部に、補強用の厚肉部が形成されている、請求項４または５に記載の包装箱の手提げ取っ手。
【発明の詳細な説明】
【技術分野】
【０００１】
本発明は、物品を包装するための包装箱およびその手提げ取っ手に関する。
【背景技術】
【０００２】
従来、商品などの物品を包装するための包装箱であって、購入者の持ち帰り時などに使用される手提げ取っ手を備えた包装箱が知られている（例えば、特許文献１乃至４）。
【０００３】
例えば、特許文献１には、複数個の積載可能な四角形箱状の積み重ね形態、収納物を見ることができる展示形態、手提げ部により持運び可能な持運び形態の３種の形態に組立て可能な紙製梱包箱が開示されている。
【０００４】
また、特許文献２には、消費者などの購買者に有意義な情報を表示する情報表示面の面積を拡大することができ、その情報表示面が出荷時には隠蔽されており、販売時又は購入時にその情報表示面を露出させることができる包装容器が開示されている。
【０００５】
従来の包装箱は、例えば店頭での陳列時において、その手提げ取っ手を利用して、吊下げ用のフックやバーに吊下げた状態で陳列される場合がある。すなわち、商品購入者が持ち帰り時に使用する手提げ取っ手を、購入前の商品陳列時にも利用するというものである。
【０００６】
ここで、包装箱の４つの側面には、収納されている商品について、その外観、仕様・機能、特徴、使用方法など、多数の商品情報が記載されていることが多く、また、各側面毎にその記載内容が異なる場合もある。
【０００７】
例えば、同一機能の商品において、色違いの品揃えがある場合に、包装箱の各側面に、商品の色に関する情報を含む商品情報（外観写真など）を記載することがある。このようにすれば、色違いの商品に対して、共通の包装箱を使用することができるので便利である。
【先行技術文献】
【特許文献】
【０００８】
【特許文献１】特開２００３−７２７４０
【特許文献２】特開２００６−６２７４８
【特許文献３】特開２００５−２０００４７
【特許文献４】特開２００５−１１９７１５
【発明の概要】
【発明が解決しようとする課題】
【０００９】
しかしながら、上述した従来の包装箱は、その手提げ取っ手に吊下げ用のフックやバーを通して吊下げ状態で陳列する場合、包装箱の４つの側面のうち、陳列時に正面に配置できる側面が限られてしまう。
【００１０】
すなわち、吊下げ用のフックやバーは、包装箱の手提げ取っ手の長手方向に対して直交する方向に挿通されるので、包装箱の４つの側面のうち、陳列時に正面に配置できる側面は、手提げ取っ手の長手方向に直交する方向（吊下げ用のフックやバーの挿通方向）に平行な方向に延在する２つの側面のいずれかに限られる。
【００１１】
このように陳列時に正面に配置できる包装箱の側面が限られてしまうと、例えば色違い商品の色の種類が４つある場合、包装箱の４つの側面に、それぞれ異なる色の商品の情報（外観写真など）を記載しても、陳列時に正面に配置できない色（の商品）がでてしまう。
【００１２】
また、色違い商品の場合以外でも、包装箱の各側面に異なる商品情報が記載されている場合には、例えば４つの包装箱を並べて吊下げて陳列しつつ、正面に向ける側面を包装箱ごとにそれぞれ変えることができれば便利である。
【００１３】
しかしながら、上記の通り従来の包装箱は、吊下げ陳列時に正面に配置できる側面が限られているため、正面に向ける側面を、４つの包装箱ごとにそれぞれ変えることはできず、最大でも２種類の側面を正面に配置できるのみであった。
【００１４】
本発明は、上述した従来の技術の問題点に鑑みてなされたものであって、簡易な構成により、４つの側面のうちのいずれの側面でも、吊下げ陳列時に正面に配置することができる包装箱およびその手提げ取っ手を提供することを目的とする。
【課題を解決するための手段】
【００１５】
上記課題を解決するために、本発明の第１の態様は、物品を包装するための包装箱であって、前記物品を収納するための箱本体と、前記箱本体の天板部に設けられた手提げ取っ手と、を備え、前記手提げ取っ手は、前記箱本体の前記天板部に取り付けられた一対の端部を含む取っ手本体を有し、前記取っ手本体は、可撓性材料で形成された細長板状部材であって、全体として上方に向けて凸状となるように湾曲している細長板状部材を有し、前記細長板状部材は、その最頂部を挟んで両側に形成された一対の吊下げ用開口部を有し、前記一対の吊下げ用開口部のそれぞれの寸法は、その中に吊下げ用部材を挿入可能となるように設定されている、ことを特徴とする。
【００１６】
本発明の第２の態様は、第１の態様において、前記一対の吊下げ用開口部は、前記細長板状部材の前記最頂部に関して対称に配置されている、ことを特徴とする。
【００１７】
本発明の第３の態様は、第１または第２の態様において、前記一対の吊下げ用開口部のそれぞれの周縁部に、補強用の厚肉部が形成されている、ことを特徴とする。
【００１８】
上記課題を解決するために、本発明の第４の態様は、包装箱の箱本体の天板部に設けられる手提げ取っ手であって、前記天板部に取り付けられる一対の端部を含む取っ手本体を有し、前記取っ手本体は、可撓性材料で形成された細長板状部材であって、前記天板部に装着された状態において、全体として上方に向けて凸状となるように湾曲している細長板状部材を有し、前記細長板状部材は、前記天板部に装着された状態における最頂部を挟んで両側に形成された一対の吊下げ用開口部を有し、前記一対の吊下げ用開口部のそれぞれの寸法は、その中に吊下げ用部材を挿入可能となるように設定されている、ことを特徴とする。
【００１９】
本発明の第５の態様は、第４の態様において、前記一対の吊下げ用開口部は、前記細長板状部材の前記最頂部に関して対称に配置されている、ことを特徴とする。
【００２０】
本発明の第６の態様は、第４または第５の態様において、前記一対の吊下げ用開口部のそれぞれの周縁部に、補強用の厚肉部が形成されている、ことを特徴とする。
【発明の効果】
【００２１】
本発明によれば、簡易な構成により、４つの側面のうちのいずれの側面でも、吊下げ陳列時に正面に配置することができる包装箱およびその手提げ取っ手を提供することができる。
【図面の簡単な説明】
【００２２】
【図１】本発明の一実施形態による包装箱を模式的に示す斜視図。
【図２Ａ】図１に示した包装箱の手提げ取っ手を、平らにした状態において模式的に示す斜視図。
【図２Ｂ】図２Ａに示した手提げ取っ手を、その使用時の湾曲した状態において模式的に示す斜視図。
【図３】図２Ｂに示した手提げ取っ手を取っ手取付プレートと連結した状態において模式的に示す斜視図。
【図４】図２Ｂに示した手提げ取っ手を取っ手取付プレートと連結した状態において模式的に示す他の斜視図。
【図５】図１に示した包装箱を吊下げ用バーで吊下げた状態を示す側面図。
【図６】図１に示した包装箱を吊下げ用バーで吊下げた状態を示す平面図。
【図７】図１に示した包装箱を吊下げ用バーで吊下げた状態を、その一部を断面で示す正面図。
【図８】図１に示した包装箱を吊下げ用バーで吊下げた他の状態を示す正面図。
【図９】図１に示した包装箱を吊下げ用バーで吊下げた他の状態を示す平面図。
【図１０】図１に示した包装箱を吊下げ用バーで吊下げた他の状態を、その一部を断面で示す側面図。
【図１１】図７のＡ部を拡大して示す図。
【図１２】図１に示した包装箱の手提げ取っ手を平らな状態で示す平面図。
【図１３】図１２のＢ-Ｂ断面を示す矢視図。
【図１４】図１に示した包装箱の手提げ取っ手を平らな状態で示す正面図。
【図１５】図１に示した包装箱の取っ手取付プレートを模式的に示す斜視図。
【図１６】図１に示した包装箱において、手提げ取っ手および取っ手取付プレートを取り付ける前の蓋（天板部）を水平に開いた状態を示す平面図。
【図１７】図１に示した包装箱において、手提げ取っ手および取っ手取付プレートを取り付ける前の蓋（天板部）を水平に開いた状態を示す側面図。
【図１８】図１に示した包装箱において、第１の蓋に取っ手取付プレートを取り付けた状態を示す平面図。
【図１９】図１に示した包装箱において、第１の蓋に取っ手取付プレートを取り付けた状態を示す側面図。
【図２０】図１に示した包装箱において、第１の蓋に取っ手取付プレートおよび手提げ取っ手を取り付けた状態を示す平面図。
【図２１】図１に示した包装箱において、第１の蓋に取っ手取付プレートおよび手提げ取っ手を取り付けた状態を示す側面図。
【図２２】図１に示した包装箱において、取っ手取付プレートおよび手提げ取っ手を取り付けた第１の蓋を閉じた状態を示す平面図。
【図２３】図１に示した包装箱において、取っ手取付プレートおよび手提げ取っ手を取り付けた第１の蓋を閉じた状態を示す側面図。
【発明を実施するための形態】
【００２３】
以下、本発明の一実施形態による包装箱およびその手提げ取っ手について、図面を参照して説明する。
【００２４】
図１に示したように本実施形態による包装箱１１は、その箱本体１１Ａの蓋（天板部）２０に、手提げ取っ手１が設けられている。包装箱１１で包装された商品の購入者は、商品を持ち帰る際に、湾曲した手提げ取っ手１の内側に形成された手提げ把持用開口２に指を差し入れて、手提げ取っ手１を把持して商品を持ち帰ることができる。
【００２５】
図２Ａ乃至図４に示したように、手提げ取っ手１の取っ手本体１Ａには、展示用フックやバーに架けて吊下げるための一対の吊下げ用穴（吊下げ用開口部）３が形成されている。図２Ｂ乃至図４に示したように、吊下げ用穴３は、その軸が手提げ把持用開口２の軸と直交する方向に開口している。
【００２６】
手提げ取っ手１の取っ手本体１Ａは、合成樹脂で製造された柔軟な構造の細長板状部材７であり、特に使用状態における上下方向において容易に変形可能であり、手提げ取っ手１に指先などを挿入するなどして吊下げた場合に、指先などの外形に馴染んで変形できる構造となっている。
【００２７】
一対の吊下げ用穴３は、湾曲した取っ手本体３の最頂部を挟んで両側に形成されている。また、一対の吊下げ用穴３は、湾曲した取っ手本体３の最頂部に関して対称に形成されている。一対の吊下げ用穴３のそれぞれの寸法は、その中に吊下げ用部材（展示用フックやバーなど）を挿入可能となるように設定されている。
【００２８】
本実施形態による包装箱１１は、商品の購入者が持ち帰るために使用されるほか、商店、ショールームなどにおいて、商品を収納した状態で、或いは商品を収納しない状態で、商品の展示や宣伝のために、壁面などに設けられたフックやバーなどに吊下げられて陳列、展示される。最近の包装箱は、非常にビジュアル化され、また外面には、その商品の特徴、仕様・機能、使用方法などが記載されており、販売者にとっては宣伝用ポスターやカタログに相当し、購入を検討する需要者にとっては、商品の特徴などを簡潔に理解するために有用である。
【００２９】
本実施形態による包装箱１１には、前記のとおり、軸がお互いに直交する方向に備えられる手提げ把持用開口２と吊下げ用穴３とが備えられているため、商店などの展示用フックなどに多数の包装箱を隣接して吊下げる場合に、包装箱１１の４つの側面について、相対する２つの側面のみならず、それと直交する方向に配置されている残りの２つの側面を表示することができる。この点について、以下具体的に説明する。
【００３０】
包装箱１１の連続する側面を、順にＡ面、Ｂ面、Ｃ面およびＤ面とする。図５乃至図７は、手提げ把持用開口２を使用して、壁面に沿って設けられている展示物吊下げ用バー１２に包装箱１１を吊下げた状態を示す図である。紙面の反対側を壁面、手前を観察者（購入者）側（正面）とすると、同一商品の２つの包装箱１１をそれぞれ展示物吊下げ用バー１２への吊下げ方向を逆にして吊下げると、観察者からＡ面およびＣ面を観察することができる。
【００３１】
一方、図８乃至図１０は、手提げ取っ手１の取っ手本体１Ａに形成された一対の吊下げ用穴３を使用して、壁面に沿って設けられている展示物吊下げ用バー１２に包装箱１１を吊下げた状態を示す図である。同一商品の２つの包装箱１１をそれぞれ展示物吊下げ用バー１２への吊下げ方向を逆にして吊下げると、観察者からＢ面およびＤ面を観察することができる。
【００３２】
したがって、同一の商品について、４つの包装箱１１を準備すれば、同一の商品について、包装箱１１のすべての側面を正面側に展示（表示）することができる。
【００３３】
次に、包装箱１１および手提げ取っ手１の構造、使用方法について、図２Ａ乃至図１５に基づいて、詳細に説明する。
【００３４】
図３および図４に示すように、手提げ取っ手１１は、例えば、包装箱１１の蓋（天板部）２０の裏側に取り付けられる取っ手取付プレート４（その構造概念を示す斜視図を図１５に示す。）と組み合わせて使用される。なお、図３と図４において、箱本体１１Ａの蓋（天板部）２０は図示を省略している。
【００３５】
手提げ取っ手１の取っ手本体１Ａは、厚さの薄い板状の合成樹脂で製造された細長板状部材７を有し、人の指先で容易に変形可能であり、手提げ取っ手１の両端に備えられている手提げ取っ手ベース５の、取っ手本体１Ａに対する角度も容易に変えることができる。
【００３６】
次に、手提げ取っ手１を取っ手取付プレート４に連結する方法について説明する。
【００３７】
先ず、手提げ取っ手１の取っ手本体１Ａに設けられている手提げ取っ手ベース５の一方を、取っ手本体１Ａに略平行になるように変形させて、取っ手取付プレート４の手提げ取っ手ベース差込穴６（図１５参照）の一方に差し込んで通過させて、手提げ取っ手ベース５を開く。手提げ取っ手ベース５の寸法を手提げ取っ手ベース差込穴６の寸法よりも十分大きく設定しているため、手提げ取っ手ベース５が手提げ取っ手ベース差込穴６から抜けることがなく、手提げ取っ手１が取っ手取付プレート４と連結される。
【００３８】
次に、取っ手本体１Ａを湾曲させて、前記と同様に、他方の手提げ取っ手ベース５を取っ手本体１Ａに略平行となるように変形させて、取っ手取付プレート４の他方の手提げ取っ手ベース差し込み穴６に差し込んで通過させて、手提げ取っ手ベース５を開く。これにより、手提げ取っ手１の取っ手本体１Ａの両端の手提げ取っ手ベース５が、それぞれ取っ手取付プレート４の２つの手提げ取っ手ベース差し込み穴６に嵌め込まれ、図３および図４に示すように、手提げ取っ手１の取っ手本体１Ａと取っ手取付プレートとの連結が終了する。この状態において、取っ手本体１Ａは、略逆Ｕ字形状をなしている。
【００３９】
なお、手提げ取っ手１の天井部分を下方に押して、取っ手本体１Ａを取っ手取付プレート４の手提げ取っ手ベース差し込み穴６内に押し込むことにより、取っ手取付プレート４の上面側に突き出ている手提げ取っ手本体１Ａをほぼ平坦にすることができる。
【００４０】
次に、本実施形態における手提げ取っ手１の詳細構造を、図１２乃至図１４を参照して説明する。
【００４１】
上記の取り、手提げ取っ手１は、合成樹脂を用いて射出成型により製造されるが、包装箱１１に収納される商品が、玩具など軽量小型なものである場合には、手提げ取っ手１の主要部の肉厚は、変形の容易さも考慮して０．５ｍｍないし１ｍｍ程度、幅は１５ｍｍないし２０ｍｍとしている。なお、包装箱１１に収納される商品が、重量物または大型のものである場合には、それに応じて、手提げ取っ手１の幅と厚さなどが適宜変更して設定される。
【００４２】
吊下げ用穴３は、吊下げ状態にある包装箱１１が、その姿勢を水平に維持されるように、手提げ取っ手１の略逆Ｕ字形状の天井部（最頂部）の両側に、天井部に関して対称となる位置にて、同一形状で２つ形成されている。吊下げ用穴３は、両端を半円とする長穴形状をなしている。
【００４３】
吊下げ用穴３の周縁部には、補強用の厚肉部１０Ａが形成されている。このように補強用の厚肉部１０Ａを吊下げ用穴３の周縁部に形成することにより、吊下げ用穴３の周縁部に対して吊下げ用のフックやバーから局所的な応力が加えられた場合でも、吊下げ用穴３の周囲に亀裂などが生じることを防止できる。
【００４４】
また、吊下げ取っ手１の両側縁部および幅方向中央部にも、細長直線状の厚肉部１０Ｂ、１０Ｃが形成されており、これらの厚肉部１０Ｂ、１０Ｃも、吊下げ取っ手１の強度向上に寄与している。
【００４５】
次に、手提げ取っ手１の、包装箱１１の蓋（天井部）２０への取付方法および蓋２０の組み立て方法について、図１６乃至図２３に基づいて説明する。
【００４６】
図１６は、蓋２０を構成する部材が４つある包装箱１１について、蓋２０を開いた状態であって、手提げ取っ手１および取っ手取付プレート４を取り付ける前の平面図であり、図１７は、図１６に対応する側面図である。
【００４７】
第１の蓋部材２１には、取っ手取付プレート４が第１の蓋部材２１に取り付けられた際に、手提げ取っ手ベース差込穴６に対応する位置に、手提げ取っ手差込穴６とほぼ同じ形状・大きさの取っ手通し穴１４が設けられている。また、第２の蓋部材２２、第３の蓋部材２３および第４の蓋２４部材には、それらを閉じた際に、手提げ取っ手１がそれらを貫通できるように、第１の蓋部材２１に取り付けられた状態の手提げ取っ手１の外形寸法とほぼ同じまたは若干大きい寸法の矩形状の取っ手貫通穴１３が設けられている。
【００４８】
４つの蓋部材２１、２２、２３、２４のすべてを水平に開いた状態で、第１の蓋部材２１の裏面（第１の蓋部材２１を閉じた場合に、包装箱１１の内面側になる面。第１の蓋部材２１が水平に開いた状態では上面）に取っ手取付プレート４を取り付ける（図１８、図１９）。
【００４９】
次に、第１の蓋部材２１に、その外面（第１の蓋部材２１を閉じた場合に包装箱１１の外面側になる面。第１の蓋部材２１が水平に開いた状態では下面）側から、手提げ取っ手１の取っ手本体１Ａの両端に備えられた手提げ取っ手ベース５を、片方ずつ第１の蓋２１の取っ手通し穴１４および取っ手取付プレート４の手提げ取っ手ベース差込穴６を通して挿入し、第１の蓋部材２１を挟んで手提げ取っ手１と取っ手取付プレート４を連結する（図２０、図２１）。
【００５０】
その後、第１の蓋部材２１が閉じられた後（図２２、図２３）、第２の蓋部材２２、第３の蓋部材２３、第４の蓋部材２４の順に蓋２０が閉じられる。
【００５１】
以上のようにして包装箱１１の蓋２０を閉じた状態では、図１１に示されるように、蓋２０の下に取っ手取付プレート４が配置され、その下に配置された手提げ取っ手ベース５を介して、包装箱１１の箱本体１１Ａが支持される。
【００５２】
なお、包装箱１１の蓋２０をすべて閉じた状態では、手提げ取っ手１の天井部などを押して、取っ手取付プレート４の手提げ取っ手ベース差込穴内へ手提げ取っ手１の両端から押し込むことができる。これにより、手提げ取っ手１の上面を、包装箱１１の蓋２０の表面位置とほぼ同じか、表面位置より下方に収納することができ、包装箱１１の表面に突起がなくなるので、包装箱１１を積み上げることが容易になる。
【００５３】
また、包装箱１１の箱本体１１Ａは、厚紙やダンボール（紙製）で製作されることが多く、収納される商品の重量などとの関係で、強度が十分ではない場合があるため、前記実施形態においては、合成樹脂で製造した取っ手取付プレート４を、蓋２０の下に配置することとしている。
【００５４】
ただし、収納される商品および包装箱１１の箱本体１１Ａの材料の選択との関係で、箱本体１１Ａが十分な強度を有する場合には、取っ手取付プレート４を使用せずに、第４の蓋部材２４に、（取っ手取付プレート４における）手提げ取っ手ベース差込穴６に相当する位置と形状・大きさの穴を設けて、手提げ取っ手ベース５を当該穴を通過させて第１の蓋部材２１と手提げ取っ手１１を連結することにより構成することができる。
【００５５】
また、包装箱１１の箱本体１１Ａ、特に蓋２０が十分な強度を有する場合には、取っ手取付プレート４を４つの蓋部材２１、２２、２３、２４のすべての下ではなく、３つ、２つまたは１つの蓋部材の下であっても良い（例えば、取っ手取付プレート４を、第２の蓋部材２２、第３の蓋部材２３または第４の蓋部材２４に取り付けてもよい）。この場合において、さらに蓋２０の強度が十分であれば、取っ手取付プレート４を使用せずに、手提げ取っ手１を第２の蓋部材２２、第３の蓋部材２３または第４の蓋部材２４と直接連結してもよい。
【符号の説明】
【００５６】
１  手提げ取っ手
１Ａ  取っ手本体
２  手提げ把持用開口
３  吊下げ用穴（吊下げ用開口部）
４  取っ手取付プレート
５  手提げ取っ手ベース
６  手提げ取っ手ベース差し込み穴
７  取っ手本体の細長板状部材
１０Ａ、１０Ｂ、１０Ｃ  補強用の厚肉部
１１  包装箱
１１Ａ  箱本体
１２  吊下げ用バー
１３  取っ手貫通穴
１４  取っ手通し穴
２０  蓋（天板部）
２１  第１の蓋部材
２２  第２の蓋部材
２３  第３の蓋部材
２４  第４の蓋部材
【図１】
0006698296.tif 000002
【図２Ａ】
0006698296.tif 000003
【図２Ｂ】
0006698296.tif 000004
【図３】
0006698296.tif 000005
【図４】
0006698296.tif 000006
【図５】
0006698296.tif 000007
【図６】
0006698296.tif 000008
【図７】
0006698296.tif 000009
【図８】
0006698296.tif 000010
【図９】
0006698296.tif 000011
【図１０】
0006698296.tif 000012
【図１１】
0006698296.tif 000013
【図１２】
0006698296.tif 000014
【図１３】
0006698296.tif 000015
【図１４】
0006698296.tif 000016
【図１５】
0006698296.tif 000017
【図１６】
0006698296.tif 000018
【図１７】
0006698296.tif 000019
【図１８】
0006698296.tif 000020
【図１９】
0006698296.tif 000021
【図２０】
0006698296.tif 000022
【図２１】
0006698296.tif 000023
【図２２】
0006698296.tif 000024
【図２３】
0006698296.tif 000025